(57)【要約】  主面（１００ａ）側の中央領域に発光面（１０５ａ）を有し、主面（１００ａ）側の周縁部に電極（１０３，１０４）を有する発光パネル（１００）が複数枚積層された発光パネルパック（１０００，１０００Ａ）と、発光パネルパック（１０００，１０００Ａ）を主面（１００ａ）側から支持するとともに、発光面（１０５ａ）を露出させる開口部（１３ｈ）を有し、開口部（１３ｈ）から露出する発光面（１０５ａ）を有する発光パネル（１００）の電極（１０３，１０４）に通電する端子部（１５）を有する支持部材（１３）と、開口部（１３ｈ）から露出する発光面（１０５ａ）を有する発光パネル（１００）を支持部材（１３）から取り外し、次の発光パネル（１００）の発光面（１０５ａ）を開口部（１３ｈ）から露出させるとともに、次の発光パネル（１００）の電極（１０３，１０４）に端子部（１５）を接触させる発光パネル交換機構と、を備える照明装置。
2012043026.tif 000002
【特許請求の範囲】
【請求項１】
主面（１００ａ）側の中央領域に発光面（１０５ａ）を有し、前記主面（１００ａ）側の周縁部に電極（１０３，１０４）を有する発光パネル（１００）が複数枚積層された発光パネルパック（１０００，１０００Ａ）と、
前記発光パネルパック（１０００，１０００Ａ）を前記主面（１００ａ）側から支持するとともに、前記発光面（１０５ａ）を露出させる開口部（１３ｈ）を有し、前記開口部（１３ｈ）から露出する前記発光面（１０５ａ）を有する発光パネル（１００）の前記電極（１０３，１０４）に通電する端子部（１５）を有する支持部材（１３）と、
前記開口部（１３ｈ）から露出する前記発光面（１０５ａ）を有する前記発光パネル（１００）を前記支持部材（１３）から取り外し、次の前記発光パネル（１００）の前記発光面（１０５ａ）を前記開口部（１３ｈ）から露出させるとともに、次の前記発光パネル（１００）の前記電極（１０３，１０４）に前記端子部（１５）を接触させる発光パネル交換機構と、
を備える、照明装置。
【請求項２】
前記発光パネル交換機構として、
前記開口部（１３ｈ）から露出する前記発光面（１０５ａ）を有する前記発光パネル（１００）を、前記発光面（１０５ａ）に平行な平面方向にスライドさせることにより前記支持部材（１３）から取り外して、次の前記発光パネル（１００）の前記発光面（１０５ａ）を前記開口部（１３ｈ）から露出させるとともに、次の前記発光パネル（１００）の前記電極（１０３，１０４）に前記端子部（１５）を接触させる、請求項１に記載の照明装置。
【請求項３】
前記発光パネルパック（１０００Ａ）は、積層される前記発光パネル（１００）の間に保護シート（２００）が配置されている、請求項１または２に記載の照明装置。
【請求項４】
前記保護シート（２００）の前記発光パネル（１００）の引き出し方向の後端側（２０２）は、引き出される前記発光パネル（１００）の引き出し方向の後端側（１１２）に固定され、前記保護シート（２００）の前記発光パネル（１００）の引き出し方向の前端側（２０１）は、次に引き出される前記発光パネル（１００）の引き出し方向の前端側（１１１）に固定され、
前記発光パネル（１００）の引き出しに伴って、前記保護シート（２００）が次に引き出される前記発光パネル（１００）から剥離される、請求項３に記載の照明装置。
【請求項５】
前記発光パネル（１００）の前記電極（１０３，１０４）は、前記主面（１００ａ）の表層から厚み方向に窪む凹部領域を有し、
前記端子部（１５）は、前記電極（１０３，１０４）の前記凹部領域に嵌る凸部領域を有する、請求項１から４のいずれかに記載の照明装置。
【請求項６】
前記支持部材（１３）は、前記発光パネルパック（１０００，１０００Ａ）を収納する収納筐体（１０）を有する、請求項１から５のいずれかに記載の照明装置。
【請求項７】
前記収納筐体（１０）は、前記発光パネルパック（１０００，１０００Ａ）を前記支持部材（１３）側に押し付ける加圧機構（１６,１７）を有し、
前記加圧機構（１６,１７）は、前記開口部（１３ｈ）から露出する前記発光面（１０５ａ）を有する前記発光パネル（１００）を前記支持部材（１３）から取り出し、次の前記発光パネル（１００）の前記発光面（１０５ａ）を前記開口部（１３ｈ）から露出させた状態において、前記収納筐体（１０）に残された前記発光パネルパック（１０００）を前記支持部材（１３）側に押し付けて、次の前記発光パネル（１００）の前記電極（１０３，１０４）に前記端子部（１５）を接触させる、請求項６に記載の照明装置。
【請求項８】
前記収納筐体（１０）は、内部に収納された前記発光パネルパック（１０００，１０００Ａ）が押し付けられる前記開口部（１３ｈ）側とは反対側に、前記発光パネルパック（１０００，１０００Ａ）を収納するための開閉機構を有する、請求項６または７に記載の照明装置。
【請求項９】
前記収納筐体（１０）は、内部に収納された前記発光パネルパック（１０００，１０００Ａ）が押し付けられる前記開口部（１３ｈ）側に、前記発光パネルパック（１０００，１０００Ａ）を収納するために前記支持部材（１３）を開閉する開閉機構を有する、請求項６または７に記載の照明装置。
【請求項１０】
前記開閉機構は、前記支持部材（１３）を回転させる回転軸（５０２）と、前記支持部材（１３）に前記開口部（１３ｈ）の方向に向かう回転力を発生させる回転力発生機構とを有する、請求項９に記載の照明装置。
【請求項１１】
請求項１から請求項１０のいずれかに記載の照明装置に用いられる発光パネルパック（１０００，１０００Ａ）であって、
主面（１００ａ）側の中央領域に発光面（１０５ａ）を有し、前記主面（１００ａ）側の周縁部に電極（１０３，１０４）を有する発光パネル（１００）が複数枚積層された、発光パネルパック。
【発明の詳細な説明】
【技術分野】
【０００１】
本発明は発光パネルを用いた照明装置および発光パネルパックに関する。
【背景技術】
【０００２】
新たな照明装置として面発光素子を用いた装置が、特開２００７−２５０３０３号公報（以下、特許文献１と称する）、特開２００７−００５２２６号公報（以下、特許文献２と称する）、および特開２００６−３３１８５６号公報（以下、特許文献３と称する）に開示されている。特許文献１には、発光パネルの交換の作業性を向上させる構造を備える発光パネル式照明器具が開示されている。特許文献２には、ユーザが取り扱いやすく、安全にパネル交換できる照明装置の構造が開示されている。特許文献３には、面発光光源の着脱によって電極薄膜を傷付けることを防止することができる構造を備える照明装置の構造が開示されている。
【先行技術文献】
【特許文献】
【０００３】
【特許文献１】特開２００７−２５０３０３号公報
【特許文献２】特開２００７−００５２２６号公報
【特許文献３】特開２００６−３３１８５６号公報
【発明の概要】
【発明が解決しようとする課題】
【０００４】
ここで、発光パネルを光源に用いた照明装置において、発光により徐々に明度が低下し所定の期間（たとえば、数千時間）が過ぎると初期の半分以下の明度となる。このような発光パネルの寿命・性能劣化や破損などを原因として、発光パネルの交換作業が必要となる。上記各特許文献においても、この発光パネルの交換作業の効率化等が検討されているが、発光パネルの交換作業毎に、発光パネルを照明装置から取り外し、その後に新しい発光パネルを照明装置に取り付けるという、従来の電球、蛍光管の交換作業と同様の交換作業を要することになる。【０００５】
また、発光パネルは、平板形状であることから、今後その大きさが大型化されるものと予測され、発光パネルを光源に用いた照明装置に固有の交換作業の課題が生じ得る。【０００６】
本発明の目的は、発光パネルを光源に用いた照明装置において、発光パネルの交換作業のさらなる効率化を図ることが可能な構造を備える照明装置および発光パネルパックを提供することにある。
【課題を解決するための手段】
【０００７】
この発明に基づいた照明装置においては、主面側の中央領域に発光面を有し、上記主面側の周縁部に電極を有する発光パネルが複数枚積層された発光パネルパックと、上記発光パネルパックを上記主面側から支持するとともに、上記発光面を露出させる開口部を有し、上記開口部から露出する上記発光面を有する発光パネルの上記電極に通電する端子部を有する支持部材と、上記開口部から露出する上記発光面を有する上記発光パネルを上記支持部材から取り外し、次の上記発光パネルの上記発光面を上記開口部から露出させるとともに、次の上記発光パネルの上記電極に上記端子部を接触させる発光パネル交換機構と、を備える。
【発明の効果】
【０００８】
この発明によれば、発光パネルを光源に用いた照明装置において、発光パネルの交換作業のさらなる効率化を図ることを可能とする。
【図面の簡単な説明】
【０００９】
【図１】各実施の形態の照明装置に用いられる発光パネルの構造を示す発光面側から見た斜視図である。
【図２】各実施の形態の照明装置に用いられる発光パネルの構造を示す発光面側から見た平面図である。
【図３】図２中ＩＩＩ−ＩＩＩ線矢視断面図である。
【図４】図２中ＩＶ−ＩＶ線矢視断面図である。
【図５】図２中Ｖ−Ｖ線矢視断面図である。
【図６】図５中のＶＩで囲まれた領域の部分拡大断面図である。
【図７】実施の形態１における照明装置の外観を示す斜視図である。
【図８】実施の形態１における照明装置の発光パネルを引き出した状態における外観を示す斜視図である。
【図９】実施の形態１における照明装置の取出口側から見た図である。
【図１０】実施の形態１における照明装置の照明用の開口部側から見た図である。
【図１１】図１０中ＸＩ−ＸＩ線矢視断面図である。
【図１２】図９中ＸＩＩ−ＸＩＩ線矢視断面図である。
【図１３】実施の形態１における照明装置の発光パネルを引き出した途中状態を示す断面図である。
【図１４】実施の形態１における照明装置の発光パネルを完全に引き出した状態を示す断面図である。
【図１５】実施の形態２における発光パネルパックの構造を示す断面図である。
【図１６】実施の形態２における発光パネルパックの構造における発光パネルの引き出し状態を示す第１断面図である。
【図１７】実施の形態２における発光パネルパックの構造における発光パネルの引き出し状態を示す第２断面図である。
【図１８】実施の形態２における発光パネルパックの構造における発光パネルの引き出し状態を示す第３断面図である。
【図１９】実施の形態３における照明装置の図１０中ＸＩ−ＸＩ線矢視に相当する断面図である。
【図２０】実施の形態３における照明装置の図９中ＸＩＩ−ＸＩＩ線矢視に相当する断面図である。
【図２１】図１９中ＸＸＩ−ＸＸＩ線矢視断面図である。
【図２２】実施の形態３における照明装置に発光パネルパックが収容されていない状態を示す断面図である。
【図２３】実施の形態３における照明装置に発光パネルパックを収容する状態を示す断面図である。
【図２４】実施の形態３における照明装置に設けられた開口量制限機構の一例を示す図である。
【図２５】実施の形態４における照明装置の図１０中ＸＩ−ＸＩ線矢視に相当する断面図である。
【図２６】実施の形態４における照明装置の図９中ＸＩＩ−ＸＩＩ線矢視に相当する断面図である。
【図２７】実施の形態４における照明装置に発光パネルパックが収容されていない状態を示す断面図である。
【図２８】実施の形態４における照明装置に発光パネルパックを収容する状態を示す断面図である。
【図２９】実施の形態５における照明装置の図９中ＸＩＩ−ＸＩＩ線矢視に相当する断面図である。
【図３０】実施の形態５における照明装置に採用される支持部材を開閉する開閉機構の一例を示す模式図である。
【図３１】実施の形態５における照明装置に発光パネルパックが収容されていない状態を示す断面図である。
【図３２】実施の形態５における照明装置に発光パネルパックを収容する状態を示す第１断面図である。
【図３３】実施の形態５における照明装置に発光パネルパックを収容する状態を示す第２断面図である。
【図３４】実施の形態５における照明装置に発光パネルパックを収容する状態を示す第３断面図である。
【図３５】実施の形態５における照明装置に発光パネルパックを収容する状態を示す第４断面図である。
【図３６】他の実施の形態における照明装置の構成を示す断面図である。
【発明を実施するための形態】
【００１０】
本発明に基づいた各実施の形態における照明装置および発光パネルパックについて、以下、図を参照しながら説明する。なお、以下に説明する実施の形態において、個数、量などに言及する場合、特に記載がある場合を除き、本発明の範囲は必ずしもその個数、量などに限定されない。また、同一の部品、相当部品に対しては、同一の参照番号を付し、重複する説明は繰り返さない場合がある。また、各実施の形態における構成を適宜組み合わせて用いることは当初から予定されていることである。
【００１１】
本実施の形態における発光パネルは、一例として、厚さが約０．２ｍｍ〜約０．５ｍｍに対して、長手方向の長さが約５ｃｍ〜約２０ｃｍである。この寸法関係を維持したまま図示した場合には、発光パネルの構造を明確に示すことはできない。そこで、以下に示す各実施の形態における照明装置および発光パネルパックの図示においては、構造の理解のために寸法関係は、発光パネルの厚み方向を拡大して図示している。
【００１２】
（発光パネルの構造）
図１から図６を参照して、以下に説明する各実施の形態の照明装置に用いられる発光パネル１００の構造について説明する。なお、図１は発光パネル１００の発光面側から見た斜視図、図２は発光パネル１００の発光面側から見た平面図、図３は図２中ＩＩＩ−ＩＩＩ線矢視断面図、図４は図２中ＩＶ−ＩＶ線矢視断面図、図５は図２中Ｖ−Ｖ線矢視断面図、図６は図５中のＶＩで囲まれた領域の部分拡大断面図である。
【００１３】
図１および図２を参照して、この発光パネル１００は、平面視において長方形形状を有し、主面１００ａ側の中央領域に発光面１０５ａを有し、主面１００ａ側の周縁部に電極１０３，１０４が設けられている。発光パネル１００の形状は、長方形形状に限定されるものではなく、正方形形状、多角形形状、円形形状等の様々な形状の選択が可能である。
【００１４】
この発光パネル１００は、金属からなる電極１０３と電極１０４との間に直流電流（例えば、１５Ｖ程度）を流すことにより発光面１０５ａが発光する。電極１０３，１０４の位置は、主面１００ａ側の周縁部に設けられれば、特に限定されるものではない。本実施の形態における発光パネル１００では、中心線ＣＬ１をＸ軸、中心線ＣＬ２をＹ軸と仮定した場合には、第三象限に位置する周縁部に電極１０３が設けられ、第四象限に位置する周縁部に電極１０４が設けられている。このように電極１０３，１０４を配置することで、後述の照明装置に設けられる端子部の接続関係を一義的な関係にすることができる。
【００１５】
図３から図５を参照して、この発光パネル１００は、発光層１０１、電極１０３をその一部とし、発光層１０１の一方面側に位置する導電体１０２、電極１０４と電気的に接続され、発光層１０１の他方面側（発光面側）に位置する透明導電体１０５、および、ガラスやプラスチックフィルムを用いた透明基板１０６とを有している。上記したように、本実施の形態の形態における発光パネル１００は、厚さ（ｈ１）が約０．２ｍｍ〜約０．５ｍｍに対して、長手方向の長さ（ｗ１）が約５ｃｍ〜約２０ｃｍである。
【００１６】
図６に電極１０４付近の部分拡大断面図を示す。発光層１０１を導電体１０２と透明導電体１０５とにより挟み込む。透明導電体１０５と導電体１０２との間には絶縁層１０７が設けられている。透明導電体１０５は、傷つき易い導電性樹脂が用いられているため、この透明導電体１０５を保護する目的で、金属からなる電極１０４が、透明導電体１０５の表面に接続・被覆されている。図では省略しているが、導電体１０２と透明導電体１０５との対向面には、絶縁分離のために絶縁層１０７が設けられている。
【００１７】
電極１０３，１０４の表面は、透明基板１０６の厚み分だけ発光パネル１００の主面１００ａから窪む凹部領域を有している。透明基板１０６の厚み（ｔ）は、約０．１ｍｍ〜約０．３ｍｍ程度である。また、電極１０３，１０４の平面視における大きさは、一辺の長さが約３ｍｍ〜５ｍｍ程度の矩形形状である。
【００１８】
本実施の形態の発光パネル１００は、有機ＥＬ(Electro-Luminescence)を発光層１０１に用いており、導電体１０２にマイナス電位を印加し、透明導電体１０５にプラス電位を印加すると、導電体１０２で生じた自由電子と透明導電体１０５で生じた正孔とが発光層１０１で結合して、この発光層１０１の有機物が励起状態になり、元の安定状態に戻るときに発光する。
【００１９】
なお、発光パネル１００の一例として有機ＥＬを用いた発光パネルについて説明したが、同等の性能を有する面発光パネルであれば、有機ＥＬに限定されず、無機ＥＬ、面発光レーザ、面発光ＬＥＤ等を用いた面発光パネルの採用も可能である。
【００２０】
（実施の形態１：照明装置１）
次に、図７から図１４を参照して、本実施の形態における照明装置１について説明する。本実施の形態における照明装置１は、天井等に設置されることを想定したものであり、図７は照明装置１の外観を見上げた状態での斜視図、図８は照明装置１の発光パネルを引き出した状態における外観を見上げた状態を示す斜視図、図９は照明装置１の取出口側から見た図、図１０は照明装置の照明用の開口部側から見た図である。
【００２１】
また、図１１は、図１０中ＸＩ−ＸＩ線矢視断面図、図１２は、図９中ＸＩＩ−ＸＩＩ線矢視断面図、図１３は、照明装置１の発光パネル１００を引き出した途中状態を示す断面図、図１４は、照明装置１の発光パネル１００完全に引き出した状態を示す断面図である。
【００２２】
まず、図７から図１０を参照して、照明装置１は、側板１１、天板１２および開口部１３ｈが設けられた支持部材１３を有する収納筐体１０を有している。収納筐体１０は全体として、直方体形状を有している。収納筐体１０の一つの側板１１の支持部材１３側には、収納筐体１０の内部に収納される発光パネル１００を引き出すための取出口１１ｈが設けられている。また、取出口１１ｈの支持部材１３側には、発光パネル１００を容易に引き出すための切欠１４が設けられている。
【００２３】
次に、図１１および図１２を参照して、収納筐体１０の内部には、発光パネルパック１０００が収容されている。本実施の形態では、発光パネルパック１０００は、３枚の発光パネル１００が積層された状態である。発光パネルパック１０００の発光パネル１００の枚数は、照明装置１に求められる仕様に応じて適宜変更されるものであり、３枚に限定されるものではない。
【００２４】
発光パネルパック１０００の天板１２側の内面には、圧着板１６および複数のコイルばね１７が設けられ、発光パネル１００を支持部材１３側に押し付ける加圧機構を構成している。コイルばね１７の数量、設置は特に限定されないが、電極１０３，１０４を端子部１５に圧着させる観点からは、端子部１５に対向する位置にコイルばね１７を配設させておくことが好ましい。なお、加圧力を得ることができるものであれば、コイルばね１７に限定されことはなく、公知の弾性部材を用いることができる。
【００２５】
また、発光パネル１００のみの自重により、発光パネル１００を支持部材１３側に押し付けることが可能な場合には、必ずしも発光パネル１００を支持部材１３側に押し付ける加圧機構を設ける必要はない。
【００２６】
支持部材１３に設けられた開口部１３ｈの開口面積は、発光パネル１００の発光面１０５ａと略同一の面積に設けられ、発光パネル１００の周縁部が、支持部材１３により支持され、発光面１０５ａから照射される光は、開口部１３ｈから対象物を照らすこととなる。なお、開口部１３ｈに透明のガラスプレートを配設することも可能である。
【００２７】
支持部材１３において、発光パネル１００に設けられた電極１０３，１０４の対向する位置には、電極１０３，１０４に接し、電極１０３，１０４に対して電気を供給する端子部１５が設けられている。上記したように、電極１０３と電極１０４との間には直流電流が印加されることから、電極と端子部との間において、プラス極とマイナス極とを一致させることが重要となる。
【００２８】
そこで、本実施の形態においては、上記したように、第三象限に位置する周縁部に電極１０３を設け、第四象限に位置する周縁部に電極１０４を設ける構成を採用することで、発光パネル１００の挿入方向を間違えた場合には、電極と端子部とが接触しない構造を採用している。
【００２９】
電極１０３，１０４は、発光パネル１００の主面１００ａの表層から厚み方向に窪む凹部領域を有し、端子部１５は、電極１０３，１０４の凹部領域に嵌る凸部領域を有している。その結果、端子部１５に対する発光パネル１００の位置決めが行なわれるとともに、凹部領域に凸部領域が嵌ることで、発光パネル１００の引き出し方向（取り外し方向）の移動を制限することができる。
【００３０】
特に、圧着板１６および複数のコイルばね１７による加圧機構により、電極１０３，１０４が端子部１５に圧接された状態においては、外力が加わらなければ、発光パネル１００の引き出し方向の移動を有効に制限することができる。
【００３１】
（発光パネル交換機構）
次に、図１３および図１４を参照して、交換時期に達した発光パネルを新しい発光パネルに交換する発光パネル交換機構について説明する。なお、図１３は、照明装置１の発光パネル１００を引き出した途中状態を示す断面図、図１４は、照明装置１の発光パネル１００を完全に引き出した状態を示す断面図である。
【００３２】
まず、図１３を参照して、開口部１３ｈから露出する発光面１０５ａを有する発光パネル１００（図中においては最も下端に位置する発光パネル１００）が交換時期に達した場合には、切欠１４から指を用いて発光パネル１００を把持しながら、発光パネル１００を発光面１０５ａに平行な平面方向にスライドさせる。
【００３３】
これにより、発光パネル１００はスライドを開始し、電極１０３，１０４の凹部領域が、加圧機構による付勢力に対抗して端子部１５を乗り上げて、電極１０３，１０４が端子部１５から外れる。なお、図示においては、構造の理解のために、厚さ方向を幅方向よりも拡大して記載しているが、端子部１５の高さは約０．１ｍｍ〜約０．３ｍｍ程度であることから、作業者の発光パネル１００を引く力で容易に、電極１０３，１０４の凹部領域を端子部１５に乗り上げさせることができる。
【００３４】
次に、図１４を参照して、さらに発光パネル１００を、発光面１０５ａに平行な平面方向にスライドさせて、発光パネル１００を収納筐体１０から完全に取り出す。これにより、発光パネルパック１０００が加圧機構による付勢力に基づき支持部材１３側に移動し、次の新しい発光パネル１００の発光面１０５ａが開口部１３ｈから露出する。また、この発光パネル１００の電極１０３，１０４と端子部１５とが接触することにより、発光パネル１００の発光面１０５ａが発光する。
【００３５】
（作用・効果）
以上、本実施の形態における照明装置１によれば、収納筐体１０内に予め次に用いる発光パネル１００を積層状態として収容させておく構成を採用している。これにより、交換時期に達した発光パネル１００を、発光面１０５ａに平行な平面方向にスライドさせることのみで、交換時期に達した発光パネル１００を収納筐体１０から取出し、特別な操作を必要とすることなく、次の新しい発光パネル１００を支持部材１３の適正位置に配置させることができる。その結果、発光パネル１００の交換作業を容易に完了させることができる。
【００３６】
また、交換時期に達した発光パネル１００をスライドさせることのみで、発光パネル１００の交換ができるため、次の新しい発光パネル１００への損傷や傷付きを防止できる。また、照明装置１の構成が簡易となり、照明装置１の低コストを実現することができる。
【００３７】
（実施の形態２：発光パネルパック１０００Ａ）
次に、図１５から図１８を参照して、本実施の形態における発光パネルパック１０００Ａについて説明する。なお、図１５は、発光パネルパック１０００Ａの構造を示す断面図、図１６から図１８は、発光パネルパック１０００Ａの構造における発光パネルの引き出し状態を示す第１から第３断面図である。なお、収納筐体１０の構成は、実施の形態１と同じであるため、図示は省略する。
【００３８】
上記実施の形態１で用いた発光パネルパック１０００は、発光パネル１００を積層状態に積み上げたものである。ここで、発光パネル１００に採用される有機ＥＬの発光層１０１は水分に触れると、発光性能が低下するおそれがある。このため、照明装置１の収納筐体１０内に収納中の発光パネル１００を、湿気から保護することが好ましい。
【００３９】
そこで、本実施の形態における発光パネルパック１０００Ａは、積層される発光パネル１００の間に保護シート２００が配置されている。保護シート２００としては、膜厚さ約０．１５ｍｍのポリエチレンシート、アルミ圧着フィルム等の防湿シートを用いることができる。
【００４０】
積層される発光パネル１００の間に保護シート２００を配置しておくことで、収納筐体１０内に収納中の発光パネル１００を湿気から十分保護することができる。また、好ましい形態として、本実施の形態における発光パネルパック１０００Ａは、交換時期に達した発光パネル１００の引き出しに伴って、保護シート２００が次に引き出される新しい発光パネル１００から剥離される構成を採用している。
【００４１】
図１５を参照して、具体的な構成について説明する。保護シート２００の発光パネル１００の引き出し方向の後端側２０２は、引き出される発光パネル１００の引き出し方向の後端側１１２に固定され、保護シート２００の発光パネル１００の引き出し方向の前端側２０１は、次に引き出される発光パネル１００の引き出し方向の前端側１１１に固定されている。保護シート２００は、発光パネル１００の透明基板１０６を覆い、透明基板１０６の表面に対して剥離可能に貼着されている。
【００４２】
次に、図１６から図１８を参照して、上記構成を有する発光パネルパック１０００Ａにおける発光パネル１００の引き出し状態を説明する。図１６を参照して、交換時期に達した発光パネル１００を引き出すことにより、交換時期に達した発光パネル１００の後端側１１２に固定された保護シート２００が、徐々に次の新しい発光パネル１００の透明基板１０６から引き剥がされる。
【００４３】
次に、図１７を参照して、引き続き交換時期に達した発光パネル１００を引き出すことにより、次の新しい発光パネル１００の透明基板１０６の表面から保護シート２００が引き剥がされる。図１８を参照して、さらに交換時期に達した発光パネル１００を引き出すことにより、保護シート２００の前端側２０１が発光パネル１００の前端側１１１から引き剥がされ、次の新しい発光パネル１００の透明基板１０６の表面が完全に露出する状態となる。保護シート２００の後端側２０２は、強固に発光パネル１００の後端側１１２に固着させておくことで、発光パネル１００とともに保護シート２００を廃棄することができる。
【００４４】
（作用・効果）
このように、本実施の形態における発光パネルパック１０００Ａは、積層される発光パネル１００の間に保護シート２００を配置しておくことで、収納筐体１０内に収納中の発光パネル１００を湿気から十分保護することができる。その結果、発光パネル１００の収納筐体１０内での長期間の保管を可能とする。
【００４５】
また、より好ましい形態として、本実施の形態における発光パネルパック１０００Ａは、上述したように、交換時期に達した発光パネル１００の引き出しに伴って、保護シート２００が次の新しい発光パネル１００から剥離される構成を採用している。
【００４６】
これにより、発光パネル１００の交換作業と保護シート２００の剥離作業とを同時に行なうことができ、交換作業の効率を向上させることができる。
【００４７】
（実施の形態３：照明装置１Ａ）
次に、図１９から図２４を参照して、本実施の形態における照明装置１Ａについて説明する。なお、図１９は、照明装置１Ａの図１０中ＸＩ−ＸＩ線矢視に相当する断面図、図２０は、照明装置１Ａの図９中ＸＩＩ−ＸＩＩ線矢視に相当する断面図、図２１は、図１９中ＸＸＩ−ＸＸＩ線矢視断面図、図２２は、照明装置１Ａに発光パネルパックが収容されていない状態を示す断面図、図２３は、照明装置１Ａに発光パネルパックを収容する状態を示す断面図、図２４は、照明装置１Ａに設けられた開口量制限機構の一例を示す図である。
【００４８】
本実施の形態における照明装置１Ａの収納筐体１０Ａの基本的構成は、実施の形態１における収納筐体１０と同じであるため、同一または相当部分には同一の参照番号を付して重複する説明は繰り返さないこととし、相違する部分を説明する。収納筐体１０Ａに収容される発光パネルパックは、実施の形態１で用いた発光パネルパック１０００または実施の形態２で用いた発光パネルパック１０００Ａのいずれでもかまわないが、ここでは、発光パネルパック１０００を用いるものとする。
【００４９】
図１９から図２１を参照して、本実施の形態における収納筐体１０Ａは、側板１１の開口部１３ｈ側において、支持部材１３に開閉機構が設けられている。本実施の形態においては、支持部材１３の一端側がヒンジ３１により側板１１の一端側に回動可能に連結されている。
【００５０】
また、支持部材１３が開放状態の場合において、収納筐体１０Ａの開放部からの圧着板１６の落下を防止するために、圧着板１６には、ガイド片１６ｇが設けられ、側板１１の内面には、このガイド片１６ｇを受け入れるガイド溝１１ｇが設けられている。
【００５１】
図２２に示すように、照明装置１Ａに発光パネルパック１０００が収容されていない状態では、圧着板１６の自重およびコイルばね１７の付勢力に基づき、圧着板１６のガイド片１６ｇの最下端位置で停止する状態となる。
【００５２】
次に、収納筐体１０Ａの内部に発光パネルパック１０００を収納する際には、図２３に示すように、支持部材１３を開放して、収納筐体１０Ａの内部に発光パネルパック１０００を収納する。その後、支持部材１３を閉じることにより、発光パネルパック１０００の収納筐体１０Ａの内部への収納が完了する。なお、支持部材１３は、図示しないねじ止め、ロック機構により収納筐体１０Ａに固定される。
【００５３】
なお、支持部材１３の開閉時に、支持部材１３が大きく開放状態となった場合には、収納筐体１０Ａの内部に収容された発光パネルパック１０００が、収納筐体１０Ａの内部から放出されるおそれがある。そこで、図２４に示すように、側板１１と支持部材１３との間に開口量制限機構３２として、ロープ、チェーン等を設けておくことが好ましい。支持部材１３を大きく開放状態にする場合には、ロープ、チェーン等の一端側を、側板１１または支持部材１３から取り外し可能に設けておけば良い。
【００５４】
（作用・効果）
以上、本実施の形態における照明装置１Ａによれば、実施の形態１における照明装置１と同様の作用効果を得ることができる。さらに、本実施の形態における収納筐体１０Ａによれば、支持部材１３が収納筐体１０Ａに対して開閉可能に設けられている。これにより、発光パネルパック１０００の収納筐体１０Ａへの補充を容易に行なうことが可能となり、発光パネルパック１０００の補充作業の効率化を図ることが可能となる。また、本照明装置１Ａを室内の天井、壁に設置した場合には、室内側から発光パネルパック１０００の補充作業を行なうことができる。
【００５５】
（実施の形態４：照明装置１Ｂ）
次に、図２５から図２８を参照して、本実施の形態における照明装置１Ｂについて説明する。なお、図２５は、照明装置１Ｂの図１０中ＸＩ−ＸＩ線矢視に相当する断面図、図２６は、照明装置１Ｂの図９中ＸＩＩ−ＸＩＩ線矢視に相当する断面図、図２７は、照明装置１Ｂに発光パネルパック１０００Ａが収容されていない状態を示す断面図、図２８は、照明装置１Ｂに発光パネルパック１０００Ａを収容する状態を示す断面図である。
【００５６】
本実施の形態における照明装置１Ｂの収納筐体１０Ｂの基本的構成は、実施の形態１における収納筐体１０と同じであるため、同一または相当部分には同一の参照番号を付して重複する説明は繰り返さないこととし、相違する部分を説明する。収納筐体１０Ｂに収容される発光パネルパックは、実施の形態１で用いた発光パネルパック１０００または実施の形態２で用いた発光パネルパック１０００Ａのいずれでもかまわないが、ここでは、発光パネルパック１０００Ａを用いるものとする。
【００５７】
図２５および図２６を参照して、本実施の形態における収納筐体１０Ｂは、側板１１に対して天板１２が開閉可能に設けられている。また、本実施の形態においては、好ましい形態として、天板１２の周縁部と側板１１の周縁部との間に相互に勘合する凹凸壁１１ａ，１２ａが設けられている。
【００５８】
図２７に示すように、照明装置１Ｂに発光パネルパック１０００Ａが収容されていない状態では、圧着板１６の自重およびコイルばね１７の付勢力に基づき、圧着板１６が収納筐体１０Ｂの最下端位置で停止する状態となる。
【００５９】
次に、収納筐体１０Ｂの内部に発光パネルパック１０００Ａを収納する際には、図２８に示すように、天板１２を持ち上げて収納筐体１０Ｂの上端側を開放状態にして、収納筐体１０Ｂの内部に発光パネルパック１０００Ａを収納する。その後、天板１２を閉じることにより、発光パネルパック１０００Ａの収納筐体１０Ｂの内部への収納が完了する。
【００６０】
（作用・効果）
以上、本実施の形態における照明装置１Ｂによれば、実施の形態１における照明装置１と同様の作用効果を得ることができる。さらに、本実施の形態における収納筐体１０Ｂによれば、天板１２が収納筐体１０Ｂに対して開閉可能に設けられている。これにより、発光パネルパック１０００Ａの収納筐体１０Ｂへの補充を容易に行なうことが可能となり、発光パネルパック１０００Ａの補充作業の効率化を図ることが可能となる。また、本照明装置１Ｂを室内の天井に設置した場合には、天井裏から発光パネルパック１０００Ａの補充作業を行なうことができる。また、収納筐体１０Ｂ内に数枚の発光パネル１００が残存している場合でも、上から発光パネルパック１０００Ａを補充することができる。
【００６１】
（実施の形態５：照明装置１Ｃ）
次に、図２９から図３５を参照して、本実施の形態における照明装置１Ｃについて説明する。なお、図２９は、照明装置１Ｃの図９中ＸＩＩ−ＸＩＩ線矢視に相当する断面図、図３０は、照明装置１Ｃに採用される支持部材５０１を開閉する開閉機構の一例を示す模式図、図３１は、照明装置１Ｃに発光パネルパック１０００が収容されていない状態を示す断面図、図３２から図３５は、照明装置１Ｃに発光パネルパック１０００を収容する状態を示す第１から第４断面図である。
【００６２】
本実施の形態における照明装置１Ｃの収納筐体１０Ｃの基本的構成は、実施の形態１における収納筐体１０と同じであるため、同一または相当部分には同一の参照番号を付して重複する説明は繰り返さないこととし、相違する部分を説明する。収納筐体１０Ｃに収容される発光パネルパックは、実施の形態１で用いた発光パネルパック１０００または実施の形態２で用いた発光パネルパック１０００Ａのいずれでもかまわないが、ここでは、発光パネルパック１０００を用いるものとする。
【００６３】
図２９および図３０を参照して、本実施の形態における収納筐体１０Ｃは、側板１１の開口部１３ｈ側において、支持部材５０１に開閉機構が設けられている。本実施の形態においては、図２９に示すように、一対の支持部材５０１は、発光パネルパック１０００を両側から支持し、開口部１３ｈを規定するように所定の間隔を隔てて対称となるように配置されている。
【００６４】
図３０に示すように、支持部材５０１は、一方向に延びるパネル支持プレート５０１ａおよび一方向に延びる起立プレート５０１ｂを有し、パネル支持プレート５０１ａと起立プレート５０１ｂとにより断面が略Ｌ字形状となるように、パネル支持プレート５０１ａの一端側に起立プレート５０１ｂが垂直方向に起立するように取り付けられている。
【００６５】
パネル支持プレート５０１ａと起立プレート５０１ｂとの交点が回転軸５０２となるように、支持部材５０１は収納筐体１０Ｃに回動可能に取り付けられる。パネル支持プレート５０１ａの所定位置には、端子部１５が設けられている。また、収納筐体１０Ｃの側板１１の内面には、支持部材５０１の回動を許容する空間１１ｘが設けられている。
【００６６】
なお、支持部材５０１は、図３０に示す状態が通常状態であり、外力が加わった時にのみ、支持部材５０１が回転軸５０２を中心として回動する構成を採用することも可能である。たとえば、支持部材５０１に開口部１３ｈ方向に向かう回転力を発生させる回転力発生機構を設けておくことが好ましい。
【００６７】
パネル支持プレート５０１ａの質量を起立プレート５０１ｂの質量よりも大きくすることで、支持部材５０１の重心位置が、回転軸５０２よりも開口部１３ｈに位置することから、支持部材５０１に開口部１３ｈ方向に向かう回転力を発生させることができる。他の構成として、回転軸５０２と収納筐体１０Ｃとの間にばね部材を配設し、ばね部材の付勢力により、支持部材５０１を開口部１３ｈ方向に向かう回転力を回転軸５０２に発生させるようにしても良い。
【００６８】
図３１に示すように、照明装置１Ｃに発光パネルパック１０００が収容されていない状態では、圧着板１６の自重およびコイルばね１７の付勢力に基づき、圧着板１６のガイド片１６ｇの最下端位置で停止する状態となる。
【００６９】
次に、図３２および図３３を参照して、収納筐体１０Ｃの内部に発光パネルパック１０００を収納する際には、発光パネルパック１０００を開口部１３ｈから収納筐体１０Ｃの内部に収容するように移動させる（図中矢印Ｆ方向）ことで、発光パネルパック１０００を収納するための通過路が形成される。パネル支持プレート５０１ａは、発光パネルパック１０００に当接しながら移動させられることで、支持部材５０１は、回転軸５０２を回転中心として回動する。起立プレート５０１ｂは、空間１１ｘ内を移動する。
【００７０】
図３４に示すように、収納筐体１０Ｃの内部に発光パネルパック１０００が完全に収容された状態の後は、支持部材５０１を回転軸５０２を回転中心として回動させる。これにより、図３５に示すように、支持部材５０１のパネル支持プレート５０１ａにより発光パネルパック１０００が支持される構成となる。この状態において、起立プレート５０１ｂは、発光パネルパック１０００の側面に当接した状態となるため、支持部材５０１は回転軸５０２を回転中心として回動することはない。
【００７１】
（作用・効果）
以上、本実施の形態における照明装置１Ｃによれば、実施の形態１における照明装置１と同様の作用効果を得ることができる。さらに、本実施の形態における収納筐体１０Ｃによれば、支持部材５０３が収納筐体１０Ａに対して開閉可能に設けられている。これにより、発光パネルパック１０００の収納筐体１０Ｃへの補充を容易に行なうことが可能となり、発光パネルパック１０００の補充作業の効率化を図ることが可能となる。また、本照明装置１Ｃを室内の天井、壁に設置した場合には、室内側から発光パネルパック１０００の補充作業を行なうことができる。
【００７２】
なお、上記各実施の形態の形態においては、好ましい形態について説明したが、図３６に示すような簡素な構造の照明装置を採用することも可能である。図３６に示す構造においては、天井パネルを支持部材１３として用い、この支持部材１３に発光パネル１００の発光面１０５ａを露出させる開口部１３ｈを設け、支持部材１３の裏面上に端子部１５を設置している。
また、発光パネル１００は、その厚さが薄いことから、交換すべき発光パネル１００を少し変形させて開口部１３ｈから取り外すようにすることで、次の発光パネル１００の発光面１０５ａを開口部１３ｈから露出させるとともに、次の発光パネル１００の電極１０３，１０４に端子部１５を接触させることもできる。
【００７３】
以上、本発明の実施の形態について説明したが、今回開示された実施の形態は全ての点で例示であって制限的なものではないと考えられるべきである。したがって、本発明の範囲は請求の範囲によって示され、請求の範囲と均等の意味および範囲内での全ての変更が含まれることが意図される。
【符号の説明】
【００７４】
１，１Ａ，１Ｂ，１Ｃ  照明装置、１０，１０Ａ，１０Ｂ，１０Ｃ  収納筐体、１１  側板、１１ａ，１２ａ  凹凸壁、１１ｇ  ガイド溝、１１ｈ  取出口、１１ｘ  空間、１２  天板、１３  支持部材、１３ｈ  開口部、１４  切欠、１５  端子部、１６  圧着板、１６ｇ  ガイド片、１７  コイルばね、３２  開口量制限機構、１００  発光パネル、１００ａ  主面、１０１  発光層、１０２  導電体、１０３，１０４  電極、１０５  透明導電体、１０５ａ  発光面、１０６  透明基板、１０７  絶縁層、１１１,２０１  前端側、１１２,２０２  後端側、２００  保護シート、５０１  支持部材、５０１ａ  パネル支持プレート、５０１ｂ  起立プレート、５０２  回転軸、１０００，１０００Ａ  発光パネルパック、ＣＬ１  中心線（Ｘ軸）、ＣＬ２  中心線（Ｙ軸）。
【図１】
2012043026.tif 000003
【図２】
2012043026.tif 000004
【図３】
2012043026.tif 000005
【図４】
2012043026.tif 000006
【図５】
2012043026.tif 000007
【図６】
2012043026.tif 000008
【図７】
2012043026.tif 000009
【図８】
2012043026.tif 000010
【図９】
2012043026.tif 000011
【図１０】
2012043026.tif 000012
【図１１】
2012043026.tif 000013
【図１２】
2012043026.tif 000014
【図１３】
2012043026.tif 000015
【図１４】
2012043026.tif 000016
【図１５】
2012043026.tif 000017
【図１６】
2012043026.tif 000018
【図１７】
2012043026.tif 000019
【図１８】
2012043026.tif 000020
【図１９】
2012043026.tif 000021
【図２０】
2012043026.tif 000022
【図２１】
2012043026.tif 000023
【図２２】
2012043026.tif 000024
【図２３】
2012043026.tif 000025
【図２４】
2012043026.tif 000026
【図２５】
2012043026.tif 000027
【図２６】
2012043026.tif 000028
【図２７】
2012043026.tif 000029
【図２８】
2012043026.tif 000030
【図２９】
2012043026.tif 000031
【図３０】
2012043026.tif 000032
【図３１】
2012043026.tif 000033
【図３２】
2012043026.tif 000034
【図３３】
2012043026.tif 000035
【図３４】
2012043026.tif 000036
【図３５】
2012043026.tif 000037
【図３６】
2012043026.tif 000038
【国際調査報告】
2012043026.tif 000039
2012043026.tif 000040
2012043026.tif 000041
2012043026.tif 000042